(57)【要約】【課題】デザイン性、意外性、遊び心のある２次元コードポスターを提供する。【解決手段】２次元コードポスター１は、屋内・屋外に設置される広告・宣伝用のポスターである。２次元コードポスター１は、離れてみると、単に絵柄に見えるが、近づいてみると（拡大領域３を参照）、絵柄が２次元コード５と一般的な画素７等から成る。２次元コード５は、縦横方向に情報を持つコードであり、大容量の情報を格納することができる。２次元コード５に気付いた利用者は、所有する撮影機能付き携帯端末装置を用いて、該２次元コード５を撮影し、復号機能を用いて解読する。２次元コード５がＵＲＬ等であれば、利用者は面倒なＵＲＬを自分で入力する手間を省略できる。【選択図】図１
2006010732.tif 000002
【特許請求の範囲】
【請求項１】
画像を構成する画素の一部或いは全部を２次元コードで形成し、
視点を離すと、前記画素全体の画像が、写真、イラスト、絵等の画像として認識できることを特徴とする２次元コードポスター。
【請求項２】
前記２次元コードは、文字列、ＵＲＬ、メールアドレス、音声等の何れかの情報、又はこれらを組み合わせた情報に復号されることを特徴とする請求項１記載の２次元コードポスター。
【請求項３】
前記２次元コードは、携帯型端末装置等の撮影機能を用いて撮影され、復号機能を用いて復号されることを特徴とする請求項２記載の２次元コードポスター。
【請求項４】
画像を構成する画素の一部或いは全部を２次元コードで形成し、
視点を離すと、前記画素全体の画像が、写真、イラスト、絵等の画像として認識できることを特徴とする２次元コード表示方法。
【請求項５】
前記２次元コードは、文字列、ＵＲＬ、メールアドレス、音声等の何れかの情報、又はこれらを組み合わせた情報に復号されることを特徴とする請求項４記載の２次元コード表示方法。
【請求項６】
前記２次元コードは、携帯型端末装置等の撮影機能を用いて撮影され、復号機能を用いて復号されることを特徴とする請求項５記載の２次元コード表示方法。
【発明の詳細な説明】
【技術分野】
【０００１】
本発明は、屋内・屋外に設置される広告や宣伝用ポスター等の分野に関するものである。
【背景技術】
【０００２】
従来、バーコード等の１次元コードは、文字列や数値をコード化して商品の流通等に用いられていた。近年、更に大容量の情報を省スペースでコード化する方法として、２次元コードが導入されている。
【０００３】
２次元コードは、バーコードを積み上げて構成するスタック型２次元コードや、マトリクス型２次元コードがある。例えばスタック型２次元コードであるＰＤＦ４１７（Symbol Technologies社発表）は、米国を中心に広く普及している。また、例えば日本ではマトリクス型２次元コードの１つとして、ＱＲコード（株式会社デンソーウエーブの登録商標）が、撮影機能付き携帯電話端末装置の普及に伴い広く利用されるようになってきている。
【０００４】
２次元コードは、バーコード等に比べて省スペースで大容量の情報（例えば漢字ならば約１８００文字）を格納することができる。また、どの方向からも読み取りができる。また、一部の汚れや破損があっても、誤り訂正をしつつ復元するので誤読率が低い等という利点がある。
【０００５】
ＱＲコードは、例えばポスター、書籍、カタログ、名刺等に印刷されている。利用者が、撮影機能付き携帯電話端末装置でＱＲコードを近接撮影しバーコード読み取り機能を起動させると、自動的にＱＲコードが認識され、表示部に読み取った内容が表示される。ＱＲコードに、例えばキー入力が煩わしいＵＲＬ（Uniform resource locator）が格納されていれば、利用者はキー入力を行うことなくＵＲＬを表示させ、容易に該当するインターネットのサイトへ接続することができる。
【０００６】
また、非接触型ＲＦ−ＩＤタグを付けた、車内中吊り用や屋内外掲示用の広告宣伝用のポスターとして、ＲＦ−ＩＤタグ付きポスターの特許がある（特許文献１）。情報を取得したい利用者は、リーダライタ装置を用いてポスターに付されたＲＦ−ＩＤタグを読み取り、ＲＦ−ＩＤタグに記録された情報を読み取る。
【０００７】
【特許文献１】特開２００２−１６２９１８号公報
【発明の開示】
【発明が解決しようとする課題】
【０００８】
屋内・屋外に掲示される広告、宣伝用ポスターに、例えば情報を格納した２次元コードを印刷する場合には、ポスターの絵柄やコピー（文案）とは独立して、２次元コードを配置し表示している。従って、２次元コードが独立して入るためにポスター全体のデザイン性が落ちるという問題があった。
【０００９】
本発明で、解決しようとする問題点は、ポスターのデザイン性や意外性、遊び心である。
【００１０】
本発明は、このような問題を鑑みてなされたもので、その目的とするところは、デザイン性、意外性、遊び心のある２次元コードポスターを提供することである。
【課題を解決するための手段】
【００１１】
前述した目的を達成するための第１の発明は、画像を構成する画素の一部或いは全部を２次元コードで形成し、視点を離すと、前記画素全体の画像が、写真、イラスト、絵等の画像として認識できることを特徴とする２次元コードポスターである。
【００１２】
２次元コードは、バーコードの情報量を更に大容量にするものとして導入されてきた。２次元コードは、水平、垂直方法に情報を有し、大量の情報を格納することができる。また２次元コードは、大容量の情報格納が可能であるだけではなく、何れの方向からも読み取り可能、誤読が少ないという特徴がある。
【００１３】
第１の発明による２次元コードポスターは、画像を構成する画素の一部或いは全部が２次元コードで形成され、視点を離すと、前記画素全体の画像が、写真、イラスト、絵等の画像として認識される。
【００１４】
前記２次元コードは、文字列、ＵＲＬ、メールアドレス、音声等の何れかの情報、又はこれらを組み合わせた情報に復号されることが望ましい。
ＵＲＬ（Uniform Resource Locator）は、インターネット上の文書等のアドレスの記述方式であり、アルファベットと記号類で構成される。ＵＲＬはデータ転送方式、コンピュータ名、ドメイン名、ファイルやディレクトリ名等から構成される。
【００１５】
前記２次元コードは、携帯型端末装置等の撮影機能を用いて撮影され、復号機能を用いて復号される。
携帯型端末装置は、近年急速に普及してきた、撮影機能付き携帯電話等である。尚、携帯型端末装置は、撮影機能付き携帯電話に限らず、ＰＤＡ（Personal Digital Assistance）等の携帯情報端末や、該２次元コード専用の読み取り端末装置であっても良い。
【００１６】
第１の発明による２次元コードポスターは、ポスターの絵柄の一部或いは全部が２次元コードで形成されるので、ポスターのデザイン性、意外性に効果を奏する。また利用者にとっては、楽しみつつ２次元コードを復号するというエンタテイメント的な効果を奏する。
【００１７】
第２の発明は、画像を構成する画素の一部或いは全部を２次元コードで形成し、視点を離すと、前記画素全体の画像が、写真、イラスト、絵等の画像として認識できることを特徴とする２次元コード表示方法である。
【発明の効果】
【００１８】
本発明によれば、デザイン性、意外性、遊び心のある２次元コードポスターを提供することができる。
【発明を実施するための最良の形態】
【００１９】
以下に、図面に基づいて本発明の実施の形態を詳細に説明する。図１は、本実施の形態に係る２次元コードポスター１を示す。
【００２０】
（１．２次元コードポスター）
２次元コードポスター１は、屋内や屋外に宣伝用に設置される大型ポスターであり、壁面を情報提供ツールとして機能させる。図１に示す２次元コードポスター１は、離れて見ると絵柄として認識され、近づくと絵柄を構成する画素に２次元コード５が含まれていることが判る。
【００２１】
図１に示す拡大領域３は、２次元コードポスター１の絵柄の一部を拡大したものである。本実施の形態で説明する絵柄は、画素の一部に２次元コード５を含む。即ち、拡大領域３は、画像を構成する画素７と２次元コード５から成る。
【００２２】
画素７は、特に情報を持たない写真画像の一画点であり、それぞれ異なる形状や色を有していても良い。尚、画素７は近接すると判別できる意味のある文字列等で構成されていても良い。
【００２３】
２次元コードポスター１の絵柄に含まれる２次元コード５は、絵柄の任意の位置に埋め込まれても良い。また、２次元コード５は、それぞれ異なる内容を有するものであっても良いし、異なる色を有していても良い。図１では、２次元コード５が絵柄の一部を構成するものとしているが、絵柄全体の画素を２次元コード５で実現するものであっても良い。
【００２４】
また、図１に示す２次元コードポスター１は離れて見ると画像のみが認識されるものであるが、広告用コピー（文案）等が含まれていても良い。
【００２５】
２次元コードポスター１は、大型の壁面等に掲示され、大衆の目に触れる。近づいてきた利用者が、２次元コード５が含まれていることに気づくことで、宣伝効果を高め、意外性、遊び心のある広告として機能させることができる。尚、２次元コードポスター１は大画面で、あまり頻繁に交換しないものとし、２次元コード５に格納する情報は、変更する必要のない内容、或いは変更頻度の少ない内容であることが望ましい。
【００２６】
（２．２次元コード５について）
２次元コード５は、バーコードを積み重ねた形状のスタックバーコード型のものや、該スタックバーコード方式を進化させ更に高密度化したマトリクス型のものがある。
【００２７】
図２に、２次元コード５の一例を示す。図２に示す２次元コード５は、マトリクス型の２次元コード５の１つであるＱＲコード（株式会社デンソーウエーブの登録商標）である。２次元コード５は、縦・横の２方向に情報を格納するので、大容量の情報を記憶することが可能である。例えば１つの２次元コード５で数字のみなら約８０００文字、漢字のみならば約１８００文字を記録することができる。尚、図２に示すＱＲコードの実際のサイズは、縦横約１ｃｍ程度、或いはそれ以下のサイズでも実現できる。
【００２８】
２次元コード５は、印字領域の省スペース化が可能である。また、２次元コード５は、誤り訂正機能を有するのである程度の汚れや破損を正しく復元することが可能である。
【００２９】
２次元コード５の作成方法は、特定のアプリケーションを起動してコード化したい文字列、ＵＲＬ、メールアドレス、音声等の情報を入力すると、該情報は２次元コード５として出力される。
【００３０】
（３．２次元コード５の復号について）
次に、２次元コード５の復号について説明する。図３は、２次元コード５の復号システムを示す図である。図４は、２次元コード５を復号する携帯型端末装置９の構成を示す図である。図５は、２次元コード５の復号の手順を示す図である。
【００３１】
図３において、屋内外の壁面に図１に示すような大型の２次元コードポスター１が掲示されているものとする。利用者は、該２次元コードポスター１の絵柄の中に２次元コード５が含まれていることを認識する。
【００３２】
利用者は撮影機能付きの携帯電話等である、携帯型端末装置９を保有しているものとする。携帯型端末装置９の詳細については図４で説明するが、２次元コード５を近接撮影する画像入力部１１と、２次元コード５の復号結果を表示する表示部１３等を有する。
【００３３】
また、携帯型端末装置９は通信機能を有し、インターネット等のネットワーク１５に接続することができる。ネットワーク１５には、コンピュータ等の複数の端末装置１７−１〜１７−ｎが接続される。
【００３４】
図４は、携帯型端末装置９の構成を示す図である。携帯型端末装置９は撮影機能を持つ携帯電話等の装置である。携帯型端末装置９は、ＣＣＤ（Charge Coupled Device）センサやＣＭＯＳ（Complementary Metal Oxide Semiconductor）センサ等の撮像素子である画像入力部１１と、ＣＰＵ（Central Processing
Unit）等の制御部１９と、ＲＯＭ・ＲＡＭ等の記憶部２１と、液晶表示装置等の表示部１３と、キー入力部等の入力部２３と、各種出力（例えばリムーバブル記憶装置への書き込み、印刷装置への出力、音声出力等）を行う出力部２５と、ネットワーク１５に接続する通信部２７とから構成され、それぞれがシステムバス２９で接続されている。
【００３５】
次に、２次元コード５の復号の手順を、図５に従い説明する。利用者は、壁面等に設置された２次元コードポスター１の絵柄の中に２次元コード５が含まれていることを認識する。２次元コード５は、絵柄全体を構成するものであっても良いし、絵柄の画素の一部に埋め込まれているものであっても良い。
【００３６】
利用者が携帯電話等の撮影機能を用いて、２次元コード５を近接撮影する。即ち、携帯型端末装置９の画像入力部１１が２次元コード５を撮影する（ステップ１００１）。
【００３７】
携帯型端末装置９の制御部１９は、２次元コード５の復号アプリケーションを起動させ、撮影して取得した該２次元コード５の復号を行う（ステップ１００２）。尚、２次元コード５の復号アプリケーションは、携帯型端末装置９のＲＯＭ等の記憶部２１に登録されている。
【００３８】
次に復号された２次元コード５の内容について説明する。復号された２次元コード５がテキスト（文字列）である場合、携帯型端末装置９の制御部１９は、テキストを表示部１３に表示させ（ステップ１００３）、処理を終了する。図６（ａ）は、テキストのみから構成される２次元コード５が表示される例である。
【００３９】
２次元コード５がテキストのみから構成される場合、変更頻度が少なくて済む情報、或いは変更の必要のない情報であることが望ましい。例えば図６（ａ）は、来店者へのメッセージである。その他、占い、クイズ等の情報であっても良い。また、２次元コードポスター１の中に配置される複数の２次元コード５の中に、「当たり」情報を持つ２次元コード５を配置しておき、宝探しの如く、利用者を楽しませるような２次元コードポスター１を仕立てるようにしても良い。また、利用者は、取得したテキスト情報を必要に応じて記憶部２１に保存することもできる。
【００４０】
次に、復号された２次元コード５がＵＲＬである場合、携帯型端末装置９の制御部１９は、ＵＲＬを表示部１３に表示させる（ステップ１００４）。図６（ｂ）は、ＵＲＬのみから構成される２次元コード５が表示部１３に表示される例である。
【００４１】
利用者が、表示部１３に表示されたＵＲＬをクリックすると、制御部１９は通信部２７をネットワーク１５に接続し、指定されたＵＲＬにアクセスしてサイトを表示部１３に表示させ（ステップ１００７）、処理を終了する。
【００４２】
尚、例えば利用者がＵＲＬを指定し、携帯型端末装置９の記憶部２１中に該ＵＲＬを登録するようにしても良い。また、利用者が、該ＵＲＬの編集処理ができるようにしても良い。
【００４３】
次に、復号された２次元コード５がメールアドレスである場合、携帯型端末装置９の制御部１９は、復号されたメールアドレスを表示部１３に表示させる（ステップ１００５）。図６（ｃ）は、メールアドレスのみから成る２次元コード５が表示部１３に表示される例である。
【００４４】
利用者が、表示部１３に表示されたメールアドレスをクリックすると、制御部１９は該アドレスを宛先とするメール作成画面を表示部１３に表示させる（ステップ１００８）。利用者は、メール作成画面上でメッセージを作成して該メールアドレス宛の送信メールを作成することができる。
【００４５】
尚、表示部１３に表示されたメールアドレスを指定して、携帯型端末装置９の記憶部２１中のアドレス帳に登録するようにしても良い。また、利用者が該メールアドレスの編集処理ができるようにしても良い。
【００４６】
次に、復号された２次元コード５が音声データである場合、携帯型端末装置９の制御部１９は、音声データを出力部２５から出力させる（ステップ１００６）。また、利用者は音声データを記憶部２１に登録しても良い。
【００４７】
２次元コード５は、文字列、ＵＲＬ、メールアドレス、音声等を組み合わせた情報であっても良い。例えば、図６（ｄ）に示す２次元コード５は、テキストとＵＲＬが複合された例である。図６（ｄ）では、例えば利用者が、ＵＲＬの部分をクリックすると、制御部１９は前述のステップ１００７を実行し、ネットワーク１５に接続して指定のＵＲＬのページを表示部１３に表示させる。
【００４８】
本実施の形態では、図１のようにモノトーンで構成される２次元コードポスター１について説明したが、例えば画素７や２次元コード５にＲＧＢ等の色を使用して、複数色で構成される２次元コードポスター１であっても良い。
【００４９】
また、本実施の形態では、図１のように２次元コードポスター１が絵柄のみであるように説明したが、広告宣伝用のコピー（文案）の印刷がなされていても良い。この場合、例えば文字を形成する画素の中に２次元コード５を含ませていても良い。
【００５０】
また、本実施の形態では、絵柄を構成する２次元コード５以外の画素７は、特に意味を持たないドットであるとしたが、例えば画素７部分に目視で読み取ることのできる意味のある文字列を含ませていても良い（例えば「コードを解読して当たりを探せ！」等の文字列）。また、画素７が写真等の画素であっても良い。また、画素７をランダムなＡＳＣＩＩコード等で表現しても良い。
【００５１】
また、２次元コードポスター１は、壁面に設置される紙等で作成されるポスターや、壁面に直接描かれたポスターであるものとして説明したが、例えば大画面表示装置等（液晶画面、ＣＲＴ画面等）のような屋内外に設置される装置に表示される画像であっても良い。この場合は、利用者が２次元コード５を読み取らせる時間等も必要であるので、画面があまり頻繁に変わらないような画像を映し出すことが望ましい。
【００５２】
（３．効果等）
このように、本実施の形態では、壁面に設置された大画面のポスターであって、離れて見ると該ポスターは単純に絵柄にしか見えないが、近づいてみると２次元コード５が含まれているという意外性を利用者に与える効果がある。
【００５３】
また、本実施の形態の２次元コードポスター１は、２次元コード５中に多くの情報を含んでいながらも、離れて見ると大画面の絵柄であるという点で、デザイン性に優れているという効果がある。
【００５４】
また、本実施の形態の２次元コードポスター１は、２次元コード５に気付いて情報を解読しようと近寄ってくる利用者の好奇心やエンタテイメント性を高め、ひいては宣伝効果を高める効果がある。
【００５５】
また、本実施の形態の２次元コード５が、例えばＵＲＬ等であれば、利用者は、自ら煩雑なＵＲＬをキー入力しなくても、正確なＵＲＬを得てネットワークのサイトに接続することができる。
【００５６】
また、本実施の形態の２次元コード５に、例えば電車やバスの時刻表、映画の上映時刻等の、メモしておくと便利な情報が登録されていると、利用者は即座にしかも正確に有用な情報を得られるという利便性がある。
【００５７】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００５８】
【図１】本実施の形態における２次元コードポスター１を示す図
【図２】２次元コード５を示す図
【図３】２次元コード５の復号システムを示す図
【図４】携帯型端末装置９の構成を示す図
【図５】２次元コード５の復号の手順を示す図
【図６】２次元コード５の内容を示す図
【符号の説明】
【００５９】
１………２次元コードポスター
３………拡大領域
５………２次元コード
７………画素
９………携帯型端末装置
１１………画像入力部
１３………表示部
１５………ネットワーク
１７−１〜１７−ｎ………端末装置
１９………制御部
２１………記憶部
２３………入力部
２５………出力部
２７………通信部
２９………システムバス
【図１】
2006010732.tif 000003
【図２】
2006010732.tif 000004
【図３】
2006010732.tif 000005
【図４】
2006010732.tif 000006
【図５】
2006010732.tif 000007
【図６】
2006010732.tif 000008